【事件の表示】
　特願２０１４−５１８５１０「複数の利用者にビデオデータストリームを提供するための方法及びシステム」拒絶査定不服審判事件〔平成２５年　１月　３日国際公開、ＷＯ２０１３／００２７５８、平成２６年　９月　８日国内公表、特表２０１４−５２３１７９〕について、次のとおり審決する。
【結　論】
　本件審判の請求は、成り立たない。
【理　由】
第１　経緯
１　経緯
　本件出願は、２０１１年（平成２３年）６月２７日（パリ条約による優先権主張外国庁受理２０１１年６月２７日、米国）を国際出願日とする出願であって、その手続の経緯は、以下のとおりである。
　　
　平成２７年　３月　９日：拒絶理由の通知
　平成２７年　６月　９日：手続補正
　平成２７年１１月１７日：拒絶査定
　平成２７年１１月１９日：拒絶査定の謄本の送達
　平成２８年　３月１７日：拒絶査定不服審判の請求
　平成２８年　３月１７日：手続補正
　　
２　査定の概要
　原査定の理由は、概略、次のとおりである。
　　
［査定の理由］
（理由１）　
この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（理由２）
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
　引用文献１：特開２００５−１６７３９７号公報
　引用文献２：国際公開第２０１０／１３７８６０号
　　
・理由　１、２
・請求項　１、２、４、６−８、１１、１３−１５、１８、２２−２４、２７、２８
・引用文献　１
　　
・理由　２
・請求項　３、５、９、１０、１２、１６、１７、１９、２５、２６、２８
・引用文献　１
　　
・理由　２
・請求項　２０、２１、３０−３４
・引用文献　１，２
　　
（記載不備については略）
　　
第２　補正却下の決定
　平成２８年３月１７日付けの手続補正について次のとおり決定する。
 　 
［補正却下の決定の結論］
　平成２８年３月１７日付けの手続補正を却下する。
　　
［理由］
１　補正の内容
　平成２８年３月１７日付けの手続補正（以下「本件補正」という。）は、特許請求の範囲についてする補正である。
（下線は補正箇所を示す。）
　　
　補正前の請求項１〜３４
「　【請求項１】
　複数の利用者により実質的に同時に遠隔監視するための方法であって、
　１つ又は複数のビデオデータソースから生じる１つ又は複数のビデオデータストリームをサーバにおいて受信するステップと、
　前記１つ又は複数のビデオデータストリームを前記サーバから１人又は複数の利用者のそれぞれのユーザサブシステムに実質的に同時に提供するステップとを含み、前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ、前記複数のユーザのうちの少なくとも１人によって実施される前記操作は、プライバシー領域の選択、移動オブジェクトの追跡、関心領域の選択、画像修正、又は警告トリガのうちの少なくとも１つを含む、方法。
　　【請求項２】
　前記１つ又は複数のビデオデータソースが、１つ又は複数の広角の光学系を含む、請求項１に記載の方法。
　　【請求項３】
　前記１つ又は複数の広角の光学系の少なくとも１つが魚眼レンズを含む、請求項２に記載の方法。
　　【請求項４】
　前記１つ又は複数のビデオデータストリームが、前記複数の利用者それぞれの処理要求特性に従って前記１人又は複数の利用者のそれぞれにおいて操作される、請求項１に記載の方法。
　　【請求項５】
　前記１つ又は複数のビデオデータストリームがゲートウェイシステムから受信され、前記ゲートウェイシステムは前記１つ又は複数のビデオデータストリームを１つ又は複数のビデオデータソースから受信する、請求項１に記載の方法。
　　【請求項６】
　前記複数の利用者の少なくとも１人に送られる前記ビデオデータストリームのサイズを決定するステップを更に含む、請求項１に記載の方法。
　　【請求項７】
　複数の利用者により実質的に同時に遠隔監視するための方法であって、
　複数の利用者のうちの１人のユーザサブシステムにおいて、１つ又は複数のビデオデータソースから生じる１つ又は複数のビデオデータストリームをサーバから受信するステップを含み、前記１つ又は複数のビデオデータストリームは前記複数の利用者の他者のユーザサブシステムによって実質的に同時に受信されることが可能であり、前記１つ又は複数のビデオデータストリームは１つ又は複数のビデオデータソースから前記サーバにおいて最初に受信され、前記１つ又は複数のビデオデータストリームが前記複数の利用者のうちの前記１人のユーザサブシステムに提供された後に、前記複数の利用者のうちの前記一人は、前記ユーザサブシステムを介して、前記ビデオデータソースにアクセスすることなく、前記１つ又は複数のビデオデータストリームを閲覧し操作することができ、前記複数のユーザのうちの少なくとも前記１人によって実施される前記操作は、プライバシー領域の選択、移動オブジェクトの追跡、関心領域の選択、画像修正、又は警告トリガのうちの少なくとも１つを含む、
　方法。
　　【請求項８】
　前記受信した１つ又は複数のビデオデータストリームを、前記複数の利用者のうちの前記１人の処理要求特性に従って処理するステップを更に含む、請求項７に記載の方法。
　　【請求項９】
　前記１つ又は複数のビデオデータストリームがウェブページを使用して受信される、請求項８に記載の方法。
　　【請求項１０】
　前記受信した１つ又は複数のビデオデータストリームを処理する前記ステップが、前記ウェブページに含まれるコンピュータ可読コードを利用して実行される、請求項９に記載の方法。
　　【請求項１１】
　前記１つ又は複数のビデオデータソースの少なくとも１つが、広角の光学系を含む、請求項７に記載の方法。
　　【請求項１２】
　前記広角の光学系が魚眼レンズを含む、請求項１１に記載の方法。
　　【請求項１３】
　複数の利用者により実質的に同時に遠隔監視するためのシステムであって、
　１つ又は複数のビデオデータソースと、
　前記１つ又は複数のビデオデータソースから生じる１つ又は複数のビデオデータストリームを受信するサーバとを含み、前記サーバは更に実質的に同時に前記１つ又は複数のビデオデータストリームを１人又は複数の利用者のユーザサブシステムに提供し、前記１つ又は複数のビデオデータストリームが前記ユーザサブシステムに提供された後に、前記１人又は複数の利用者の少なくとも１人は、前記ユーザサブシステムを介して、前記ビデオデータソースにアクセスすることなく、前記１つ又は複数のビデオデータストリームを閲覧し処理することが可能であり、前記利用者の少なくとも１人によって実施される前記操作は、プライバシー領域の選択、移動オブジェクトの追跡、関心領域の選択、画像修正、又は警告トリガのうちの少なくとも１つを含む、システム。
　　【請求項１４】
　前記サーバが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　１つ又は複数のビデオデータストリームを前記１人又は複数の利用者のユーザサブシステムに実質的に同時に提供させる、
　請求項１３に記載のシステム。
　　【請求項１５】
　前記コンピュータ可読コードが更に、前記１人又は複数の利用者のうちの１人のユーザサブシステムのシステム制約を満たすように、前記少なくとも１個のプロセッサに１つのビデオデータストリームを調節させる、請求項１４に記載のシステム。
　　【請求項１６】
　前記少なくとも１つのビデオデータソースから前記少なくとも１つのビデオデータストリームを受信し、前記少なくとも１つのビデオデータストリームを前記サーバに提供するゲートウェイサブシステムを更に含む、請求項１３に記載のシステム。
　　【請求項１７】
　前記ゲートウェイサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のビデオデータストリームを前記サーバに提供させる、
　請求項１６に記載のシステム。
　　【請求項１８】
　前記１つ又は複数のビデオデータソースの少なくとも１つが、広角の光学系を含む、請
求項１３に記載のシステム。
　　【請求項１９】
　前記広角の光学系が魚眼レンズを含む、請求項１８に記載のシステム。
　　【請求項２０】
　前記１つ又は複数のビデオデータソースの少なくとも１つが、広角の光学サブシステムと狭視野光学サブシステムとを含む、請求項１３に記載のシステム。
　　【請求項２１】
　前記広角の光学サブシステムが魚眼レンズを含む、請求項２０に記載のシステム。
　　【請求項２２】
　複数の利用者による実質的に遠隔的な監視のためのシステムであって、
　１つ又は複数のビデオデータソースと、
　前記１つ又は複数のビデオデータソースから生じる１つ又は複数のビデオデータストリームを受信するサーバと、
　１つ又は複数のユーザサブシステムと
　を含み、
　前記サーバが前記１つ又は複数のビデオデータストリームを前記１つ又は複数のユーザサブシステムに実質的に同時に提供し、前記１つ又は複数のユーザサブシステムの少なくとも１つが前記１つ又は複数のビデオデータストリームを閲覧／処理するための閲覧／処理コンポーネントを含み、前記１つ又は複数のビデオデータストリームが前記１つ又は複数のユーザサブシステムに提供された後に、前記１つ又は複数のユーザサブシステムは、前記ビデオデータソースにアクセスすることなく、前記１つ又は複数のビデオデータストリームを閲覧し処理することができ、前記１つ又は複数のユーザサブシステムのうちの少なくとも１つによって実施される前記処理は、プライバシー領域の選択、移動オブジェクトの追跡、関心領域の選択、画像修正、又は警告トリガのうちの少なくとも１つを含む、システム。
　　【請求項２３】
　前記サーバが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のユーザサブシステムに対して１つ又は複数のビデオデータストリームを実質的に同時に提供させる、
　請求項２２に記載のシステム。
　　【請求項２４】
　前記コンピュータ可読コードが更に、前記１つ又は複数のユーザサブシステムのうちの１つのシステム制約を満たすように、前記少なくとも１個のプロセッサに１つのビデオデータストリームを調節させる、請求項２３に記載のシステム。
　　【請求項２５】
　前記少なくとも１つのビデオデータソースから前記少なくとも１つのビデオデータストリームを受信し、前記少なくとも１つのビデオデータソースを前記サーバに提供するゲートウェイサブシステムを更に含む、請求項２２に記載のシステム。
　　【請求項２６】
　前記ゲートウェイサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のビデオデータストリームを前記サーバに提供させる、請求項２５に記載のシステム。
　　【請求項２７】
　前記１つ又は複数のビデオデータソースの少なくとも１つが、広角の光学系を含む、請求項２２に記載のシステム。
　　【請求項２８】
　前記広角の光学系が魚眼レンズを含む、請求項２７に記載のシステム。
　　【請求項２９】
　前記１つ又は複数のユーザサブシステムの少なくとも１つのユーザサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータストリームを閲覧／処理させる、
　請求項２２に記載のシステム。
　　【請求項３０】
　前記１つ又は複数のビデオデータソースの少なくとも１つが、広角の光学サブシステムと少なくとも１つの狭視野光学サブシステムとを含む、請求項２９に記載のシステム。
　　【請求項３１】
　前記広角の光学サブシステムが魚眼レンズを含む、請求項３０に記載のシステム。
　　【請求項３２】
　前記少なくとも１つの狭視野光学サブシステムがパンチルトズーム（ＰＴＺ）光学サブシステムを含む、請求項３０に記載のシステム。
　　【請求項３３】
　前記コンピュータ可読コードが更に、前記少なくとも１個のプロセッサに、
　前記広角の光学サブシステムからのビデオデータから関心領域を更に選択させ、
　前記関心領域に対応する、他のビデオデータを受信させる、
　請求項３０に記載のシステム。
　　【請求項３４】
　前記他のビデオデータが前記少なくとも１つの狭視野光学サブシステムから受信される、請求項３３に記載のシステム。」
　　
を、次のとおり補正後の請求項１〜３４に補正するものである。
　　
「　　【請求項１】
　複数の利用者により実質的に同時に遠隔監視するための方法であって、
　１つ又は複数のビデオデータソースから生じる１つ又は複数のビデオデータストリームをサーバにおいて受信するステップと、
　前記１つ又は複数のビデオデータストリームを前記サーバから１人又は複数の利用者のそれぞれのユーザサブシステムに実質的に同時に提供するステップとを含み、前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ、
前記サーバは前記１つ又は複数のビデオデータストリームを送信し、パン／チルト／ズームが前記ユーザサブシステムで実行され、
画像のパン／チルト／ズーム、
　　【請求項２】
　前記１つ又は複数のビデオデータソースが、１つ又は複数の広角の光学系を含む、請求項１に記載の方法。
　　【請求項３】
　前記１つ又は複数の広角の光学系の少なくとも１つが魚眼レンズを含む、請求項２に記載の方法。
　　【請求項４】
　前記１つ又は複数のビデオデータストリームが、前記複数の利用者それぞれの
解析ツール及び管理設定の
　　【請求項５】
　前記１つ又は複数のビデオデータストリームがゲートウェイシステムから受信され、前記ゲートウェイシステムは前記１つ又は複数のビデオデータストリームを１つ又は複数のビデオデータソースから受信する、請求項１に記載の方法。
　　【請求項６】
　前記複数の利用者の少なくとも１人に送られる前記ビデオデータストリームのサイズを決定するステップを更に含む、請求項１に記載の方法。
　　【請求項７】
　複数の利用者により実質的に同時に遠隔監視するための方法であって、
　複数の利用者のうちの１人のユーザサブシステムにおいて、１つ又は複数のビデオデータソースから生じる１つ又は複数のビデオデータストリームをサーバから受信するステップを含み、前記１つ又は複数のビデオデータストリームは前記複数の利用者の他者のユーザサブシステムによって実質的に同時に受信されることが可能であり、前記１つ又は複数のビデオデータストリームは１つ又は複数のビデオデータソースから前記サーバにおいて最初に受信され、
前記サーバは前記１つ又は複数のビデオデータストリームを送信し、パン／チルト／ズームが前記ユーザサブシステムで実行され、
画像のパン／チルト／ズーム、
　方法。
　　【請求項８】
　前記受信した１つ又は複数のビデオデータストリームを、前記複数の利用者のうちの前記１人の
解析ツール及び管理設定の
　　【請求項９】
　前記１つ又は複数のビデオデータストリームがウェブページを使用して受信される、請求項８に記載の方法。
　　【請求項１０】
　前記受信した１つ又は複数のビデオデータストリームを処理する前記ステップが、前記ウェブページに含まれるコンピュータ可読コードを利用して実行される、請求項９に記載の方法。
　　【請求項１１】
　前記１つ又は複数のビデオデータソースの少なくとも１つが、広角の光学系を含む、請求項７に記載の方法。
　　【請求項１２】
　前記広角の光学系が魚眼レンズを含む、請求項１１に記載の方法。
　　【請求項１３】
　複数の利用者により実質的に同時に遠隔監視するためのシステムであって、
　１つ又は複数のビデオデータソースと、
　前記１つ又は複数のビデオデータソースから生じる１つ又は複数のビデオデータストリームを受信するサーバとを含み、前記サーバは更に実質的に同時に前記１つ又は複数のビデオデータストリームを１人又は複数の利用者のユーザサブシステムに提供し、前記１つ又は複数のビデオデータストリームが前記ユーザサブシステムに提供された後に、前記１人又は複数の利用者の少なくとも１人は、前記ユーザサブシステムを介して、前記ビデオデータソースにアクセスすることなく、前記１つ又は複数のビデオデータストリームを閲覧し処理することが可能であり、
前記サーバは前記１つ又は複数のビデオデータストリームを送信し、パン／チルト／ズームが前記ユーザサブシステムで実行され、
処理
画像のパン／チルト／ズーム、
　　【請求項１４】
　前記サーバが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　１つ又は複数のビデオデータストリームを前記１人又は複数の利用者のユーザサブシステムに実質的に同時に提供させる、
　請求項１３に記載のシステム。
　　【請求項１５】
　前記コンピュータ可読コードが更に、前記１人又は複数の利用者のうちの１人のユーザサブシステムのシステム制約を満たすように、前記少なくとも１個のプロセッサに１つのビデオデータストリームを調節させる、請求項１４に記載のシステム。
　　【請求項１６】
　前記少なくとも１つのビデオデータソースから前記少なくとも１つのビデオデータストリームを受信し、前記少なくとも１つのビデオデータストリームを前記サーバに提供するゲートウェイサブシステムを更に含む、請求項１３に記載のシステム。
　　【請求項１７】
　前記ゲートウェイサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のビデオデータストリームを前記サーバに提供させる、
　請求項１６に記載のシステム。
　　【請求項１８】
　前記１つ又は複数のビデオデータソースの少なくとも１つが、広角の光学系を含む、請求項１３に記載のシステム。
　　【請求項１９】
　前記広角の光学系が魚眼レンズを含む、請求項１８に記載のシステム。
　　【請求項２０】
　前記１つ又は複数のビデオデータソースの少なくとも１つが、広角の光学サブシステムと狭視野光学サブシステムとを含む、請求項１３に記載のシステム。
　　【請求項２１】
　前記広角の光学サブシステムが魚眼レンズを含む、請求項２０に記載のシステム。
　　【請求項２２】
　複数の利用者による実質的に遠隔的な監視のためのシステムであって、
　１つ又は複数のビデオデータソースと、
　前記１つ又は複数のビデオデータソースから生じる１つ又は複数のビデオデータストリームを受信するサーバと、
　１つ又は複数のユーザサブシステムと
　を含み、
　前記サーバが前記１つ又は複数のビデオデータストリームを前記１つ又は複数のユーザサブシステムに実質的に同時に提供し、前記１つ又は複数のユーザサブシステムの少なくとも１つが前記１つ又は複数のビデオデータストリームを閲覧／処理するための閲覧／処理コンポーネントを含み、前記１つ又は複数のビデオデータストリームが前記１つ又は複数のユーザサブシステムに提供された後に、前記１つ又は複数のユーザサブシステムは、前記ビデオデータソースにアクセスすることなく、前記１つ又は複数のビデオデータストリームを閲覧し処理することができ、
前記サーバは前記１つ又は複数のビデオデータストリームを送信し、パン／チルト／ズームが前記ユーザサブシステムで実行され、
画像のパン／チルト／ズーム、
　　【請求項２３】
　前記サーバが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のユーザサブシステムに対して１つ又は複数のビデオデータストリームを実質的に同時に提供させる、
　請求項２２に記載のシステム。
　　【請求項２４】
　前記コンピュータ可読コードが更に、前記１つ又は複数のユーザサブシステムのうちの１つのシステム制約を満たすように、前記少なくとも１個のプロセッサに１つのビデオデータストリームを調節させる、請求項２３に記載のシステム。
　　【請求項２５】
　前記少なくとも１つのビデオデータソースから前記少なくとも１つのビデオデータストリームを受信し、前記少なくとも１つのビデオデータソースを前記サーバに提供するゲートウェイサブシステムを更に含む、請求項２２に記載のシステム。
　　【請求項２６】
　前記ゲートウェイサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータソースから生じる前記１つ又は複数のビデオデータストリームを受信させ、
　前記１つ又は複数のビデオデータストリームを前記サーバに提供させる、請求項２５に記載のシステム。
　　【請求項２７】
　前記１つ又は複数のビデオデータソースの少なくとも１つが、広角の光学系を含む、請求項２２に記載のシステム。
　　【請求項２８】
　前記広角の光学系が魚眼レンズを含む、請求項２７に記載のシステム。
　　【請求項２９】
　前記１つ又は複数のユーザサブシステムの少なくとも１つのユーザサブシステムが、
　少なくとも１個のプロセッサと、
　コンピュータ可読コードをその中に包含する少なくとも１つのコンピュータ使用可能媒体とを含み、前記コンピュータ可読コードは、前記少なくとも１個のプロセッサに
　前記１つ又は複数のビデオデータストリームを閲覧／処理させる、
　請求項２２に記載のシステム。
　　【請求項３０】
　前記１つ又は複数のビデオデータソースの少なくとも１つが、広角の光学サブシステムと少なくとも１つの狭視野光学サブシステムとを含む、請求項２９に記載のシステム。
　　【請求項３１】
　前記広角の光学サブシステムが魚眼レンズを含む、請求項３０に記載のシステム。
　　【請求項３２】
　前記少なくとも１つの狭視野光学サブシステムがパンチルトズーム（ＰＴＺ）光学サブシステムを含む、請求項３０に記載のシステム。
　　【請求項３３】
　前記コンピュータ可読コードが更に、前記少なくとも１個のプロセッサに、
　前記広角の光学サブシステムからのビデオデータから関心領域を更に選択させ、
　前記関心領域に対応する、他のビデオデータを受信させる、
　請求項３０に記載のシステム。
　　【請求項３４】
　前記他のビデオデータが前記少なくとも１つの狭視野光学サブシステムから受信される、請求項３３に記載のシステム。」
　　
２　補正の適合性 
（１）新規事項、発明の特別な技術的特徴の変更、補正の目的 
　本件補正は、補正前の請求項１、７、１３、２２において
「前記サーバは前記１つ又は複数のビデオデータストリームを送信し、パン／チルト／ズームが前記ユーザサブシステムで実行され、」を追加し、
　補正前の請求項１、７の「操作」に「画像のパン／チルト／ズーム」を追加し、
　補正前の請求項１３、２２の「処理」に「画像のパン／チルト／ズーム」を追加するものである。
　また、本件補正は、補正前の請求項１３において、「前記操作」を「前記処理」とするものである。
　さらに、本件補正は、補正前の請求項４、８の「処理要求特性」を「解析ツール及び管理設定の特性」とするものである。
　本件補正は、願書に最初添付した明細書の段落【００３２】、【００３３】、【００３７】等に記載されており、本件補正は、願書に最初添付した明細書、特許請求の範囲又は図面に記載した事項の範囲内ものであり、新たな技術事項を導入するものでなく、特許請求の範囲を減縮を目的とするものである。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正発明 
　補正後の請求項１〜３４に係る発明のうち請求項１に係る発明は、次のとおりのものである（この発明を以下「補正発明」という。）。
　　
（補正発明）
「（Ａ）複数の利用者により実質的に同時に遠隔監視するための方法であって、
（Ｂ）１つ又は複数のビデオデータソースから生じる１つ又は複数のビデオデータストリームをサーバにおいて受信するステップと、
（Ｃ）前記１つ又は複数のビデオデータストリームを前記サーバから１人又は複数の利用者のそれぞれのユーザサブシステムに実質的に同時に提供するステップとを含み、
（Ｄ）前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ、
（Ｅ）前記サーバは前記１つ又は複数のビデオデータストリームを送信し、
（Ｆ）パン／チルト／ズームが前記ユーザサブシステムで実行され、
（Ｇ）前記複数のユーザのうちの少なくとも１人によって実施される前記操作は、プライバシー領域の選択、移動オブジェクトの追跡、関心領域の選択、画像修正、画像のパン／チルト／ズーム、又は警告トリガのうちの少なくとも１つを含む、
（Ｈ）方法。」
　　
（（Ａ）〜（Ｇ）は、当審で付与した。以下各構成要件を「構成要件Ａ」等という。）
　　
（４）引用文献１の記載及び引用文献１に記載された発明
ア　引用文献１の記載
　原査定の拒絶の理由に引用された特開２００５−１６７３９７号公報（上記引用文献１、以下「引用文献１」という。）には、「サーバ装置及びその制御方法及び記憶媒体」（発明の名称）に関し、図面と共に次に掲げる事項が記載されている（下線は当審で付与した。）。
　　
「【技術分野】
【０００１】
　本発明は
全方位カメラを用いた映像通信技術に関する
【背景技術】
【０００２】
　
ビデオカメラの映像を遠隔地の多地点から観察できるシステム
　　
「【発明が解決しようとする課題】
【０００４】
　物理的に制御可能なカメラでインターネット経由で多人数に画像を配送する場合、カメラ制御できるのは同時には一人だけであり、複数人で同時に制御することはできなかった。それを解決するために全方位カメラを用いた映像通信システムがある。しかし
全方位カメラは同時に３６０°パノラマ方向を撮影し、操作者の見たい部分以外の映像も取り込む
クライアントに映像を配送する場合、全映像を送るか、操作者の見たい部分だけを切り取って送ることになる
【０００５】
　
全映像を送る場合、送信データ量の増大を招き、また、操作者の見たい部分だけ切り取る場合は多数の操作者が同時にアクセスした場合は操作者毎に切り取る部分を計算するため膨大な計算量が発生し処理時間がかかる
【０００６】
　従って、本発明は上述した課題に鑑みてなされたものであり、全方位カメラを用いた映像通信システムを多人数で使用する場合に、送信データ量の増大や計算量の増大を防止することである。」
　　
「【００２３】
　本
実施形態
従来の問題の解決を図る
（１）
全方位カメラで撮影された映像を一定の角度で分割する
（２）
分割された映像を別々のストリームで配信する
【００２４】
　（１）の画像分割は方角別の決まった単純な形状で行うことによって計算を簡単にし、また、操作者毎に対して切り出し画像の計算を行わないことにより計算量を大幅に軽減出来る。また、（２）の配信方法により全方位映像をそのまま送る場合に比べてデータ量を大幅に軽減できる。ストリーム毎に映像サーバを立ち上げた場合には角度別にサーバの負荷が分散される。例えば１００人のユーザが同時にアクセスした場合、それぞれ見る方向が均等に分散されると各サーバに負荷が均等に分散される。
【００２５】
　本実施形態は、
サーバ側で全方位カメラから映像を取り込み、ネットワークを経由してクライアントであたかもカメラ制御操作を行ったかのような映像を表示するシステム
【００２６】
　以下、図面を参照して本発明の一実施形態に係わる映像通信システムについて詳細に説明する。
【００２７】
　図１は本実施形態の
映像通信システムの構成
【００２８】
　図１において、
１−１はサーバ装置であり、１−２，１−３，１−４は表示操作装置であり、これらはネットワーク１−５によってサーバ装置１−１に接続されている
サーバ装置１−１には，全方位カメラ１−１１が接続されており、全方位カメラ１−１１
で撮影した映像（動画あるいは静止画）をネットワーク１−５を経由して表示操作装置１−２，１−３，１−４などで見ることができる
表示操作装置１−２，１−３，１−４からは、全方位カメラ１−１１の表示範囲の変更操作などが可能である
　　
「【００３２】
　なお、本実施形態では、
全方位カメラの映像に対してパン、チルト、ズーム操作を可能にする
【００３３】
　本実施形態は
全方位画像を分割して配信する
【００３４】
　
クライアントはサーバより必要とする視野角の分割映像のストリームを受信する
　　
「【００５１】
　次に表示操作装置１−２について述べる。
【００５２】
　
表示操作装置１−２は
サーバ装置１−１から配送されてきた圧縮映像データを
受信し
伸長し、必要に応じて
映像の切り出し・幾何変換処理を行い、
表示する
【００５３】
　映像表示部１−２７には、ビットマップデスプレイが含まれており、図３のような画面を構成できるWindows（登録商標）やX−Window等の、何らかのウィンドウシステムがカメラクライアント装置１−２上で稼働しており、図３のようなユーザインタフェース画面が表示されているものとする。図３において、３−１は映像が表示される映像表示パネル、３−２はカメラ操作のためのカメラ制御パネルであり、スクロールバー３−２２、３−２３の操作で、それぞれ
カメラのパン、チルトを制御できるようになっている
ズーム操作ができる
表示操作装置におけるパン、チルト操作は画像の切り出し範囲の変更になる。ズーム操作でも同様である
　　
イ　引用文献１に記載された発明
　引用文献１には、「全方位カメラを用いた映像通信技術に関するもの」（段落【０００１】）が記載されている。
　背景技術としての「ビデオカメラの映像を遠隔地の多地点から観察できるシステム」（段落【０００２】）である「全方位カメラを用いた映像通信システム」においては、「全方位カメラは同時に３６０°パノラマ方向を撮影し、操作者の見たい部分以外の映像も取り込」み、「クライアントに映像を配送する場合、全映像を送るか、操作者の見たい部分だけを切り取って送る」（段落【０００４】）。
　しかしながら、「全映像を送る場合、送信データ量の増大を招き、また、操作者の見たい部分だけ切り取る場合は多数の操作者が同時にアクセスした場合は操作者毎に切り取る部分を計算するため膨大な計算量が発生し処理時間がかかる」（段落【０００５】）という課題があり、この課題の解決を図るため、実施形態においては、「全方位カメラで撮影された映像を一定の角度で分割」し、「分割された映像を別々のストリームで配信する」（段落【００２３】）。
　引用文献１に記載された「映像通信システム」は、全方位カメラが接続されたサーバ装置と、ネットワークによりサーバ装置に接続された複数の表示操作装置から構成され、表示操作装置からは、全方位カメラの表示範囲の変更操作が可能である（段落【００２８】）。
　「表示操作装置」は、「サーバ装置」「から配送されてきた圧縮映像データを」「受信し、」「伸長し、」「必要に応じて」「映像の切り出し・幾何変換処理を行い、」「表示する」（段落【００５２】）。「配送されてきた圧縮映像データ」は、「全方位画像を分割した映像のストリーム」である（段落【００３２】、【００３３】）
　「表示操作装置におけるパン、チルト操作」「、ズーム操作」「は画像の切り出し範囲の変更になる」（段落【００５３】）。
　　
　引用文献１に記載された「サーバ装置」、「表示操作装置」の動作を方法の発明として認定する。
　　
〈方法〉
　「表示操作装置」は複数あり（段落【００２８】）、「ビデオカメラの映像を遠隔地の多地点から観察できるシステム」（段落【０００２】）に含まれるものであるから、「サーバ装置」、「表示操作装置」の動作は、『複数の表示操作装置により遠隔地から観察するための方法』といえる。
　　
〈全方位カメラ、サーバ装置〉
　「同時に３６０°パノラマ方向を撮影」する「全方位カメラ」（段落【０００４】）が「サーバ装置」に接続され（段落【００２８】）ているから、『全方位カメラからのビデオストリームをサーバ装置において受信するステップ』を含むといえる。
　　
〈サーバ装置の配信〉
　サーバ装置は、全方位カメラで撮影された映像を一定の角度で分割し、分割した映像をストリームで配信する（段落【００２３】、【００３４】）から、『サーバ装置において、全方位カメラで撮影された映像を一定の角度で分割し、ストリームとして複数の表示操作装置に提供するステップ』を含むといえる。
　　
〈パン、チルト、ズーム操作〉
　表示操作装置におけるパン、チルト、ズーム操作は画像の切り出し範囲の変更である。
　　
　以上まとめると、引用文献１には、次の発明が記載されていると認められる。この発明を以下「引用発明」という。
　　
（引用発明）
「（ａ）複数の表示操作装置により遠隔地から観察するための方法であって、
（ｂ） 全方位カメラからのビデオストリームをサーバ装置において受信するステップと、
（ｃ）サーバ装置において、全方位カメラで撮影された映像を一定の角度で分割し、ストリームとして複数の表示操作装置に提供するステップとを含み、
（ｄ）表示操作装置におけるパン、チルト、ズーム操作は画像の切り出し範囲の変更である、
（ｅ）方法。」
　　
（（ａ）〜（ｅ）は、引用発明の構成を区別するために付与した。以下各構成を「構成ａ」等という。）
　　
（５）対比
ア　補正後発明と引用発明との対比
　補正後発明と引用発明とを対比する。
　　
（ア）構成要件Ｂと構成ｂとを対比する。
　引用発明における「全方位カメラ」、「サーバ装置」は、それぞれ、補正発明の「ビデオデータソース」、「サーバ」に相当する。
　補正発明の「１つ又は複数」は択一的記載であって、「１つ」であることを含むから、補正発明と引用発明とは、「１つ又は複数のビデオデータソースから生じる１つ又は複数のビデオデータストリームをサーバにおいて受信するステップ」を含む点で一致する。
　　
（イ）構成要件Ｃと構成ｃとを対比する。
　引用発明における「表示操作装置」は、補正発明における「ユーザサブシステム」に相当し、引用発明における「複数の表示操作装置」は「複数の利用者のそれぞれのユーザサブシステム」に相当する。
　「全方位カメラで撮影された映像を一定の角度で分割し、ストリームとして複数の表示操作装置に提供する」ことは、「ビデオストリームを前記サーバから複数の利用者のそれぞれのユーザサブシステムに」「提供する」ことといえる。そして、引用発明は、引用文献１の背景技術に記載されているカメラをパン・チルト角度を遠隔制御するような、複数人で同時に制御することができないものではないから、「実質的に同時に」提供するものといえる。
　また、補正発明の「１つ又は複数」は択一的な記載であるから、「１つ又は複数のビデオデータストリームを前記サーバから１人又は複数の利用者のそれぞれのユーザサブシステムに実質的に同時に提供する」ともいえる。
　したがって、補正発明と引用発明とは、「１つ又は複数のビデオデータストリームを前記サーバから１人又は複数の利用者のそれぞれのユーザサブシステムに実質的に同時に提供するステップ」を含む点で共通する。
　しかしながら、「１つ又は複数のビデオデータストリーム」が、補正発明においては「前記１つ又は複数のビデオデータストリーム」（すなわち、「１つ又は複数のビデオデータソースから生じる１つ又は複数のビデオデータストリーム」）であるのに対し、引用発明においては「撮影された映像を一定の角度で分割した」ストリームである点で相違する。
　　
（ウ）構成要件Ｄと構成ｄとを対比する。
　引用発明においては、「表示操作装置におけるパン、チルト、ズーム操作は画像の切り出し範囲の変更である」。「画像の切り出し範囲の変更」は、「前記１つ又は複数のビデオデータストリームが前記ユーザサブシステムに提供された後に」行われるものと認められ、さらに、「画像の切り出し範囲の変更」は、利用者が、「ユーザサブシステム」に相当する「表示操作装置」を介して、「ビデオデータソース」に相当する「全方位カメラ」にアクセスすることはなく、「ビデオデータストリームを閲覧し操作することができ」るといえる。
　したがって、補正発明と引用発明とは、「前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ」る点で一致する。
　　
（エ）構成要件Ｅと構成ｃとを対比する。
　上記（イ）のとおり、補正発明と引用発明とは、「１つ又は複数のビデオデータストリームを前記サーバから１人又は複数の利用者のそれぞれのユーザサブシステムに実質的に同時に提供するステップ」を含む点で共通するから、補正発明と引用発明とは、「前記サーバは１つ又は複数のビデオデータストリームを送信」する点で共通する。
　しかしながら、「１つ又は複数のビデオデータストリーム」が、補正発明においては「前記１つ又は複数のビデオデータストリーム」であるのに対し、引用発明においては「撮影された映像を一定の角度で分割した」ストリームである点で相違する。
　　
（オ）構成要件Ｆと構成ｄとを対比する。
　引用発明においては、「表示操作装置におけるパン、チルト、ズーム操作は画像の切り出し範囲の変更であ」り、引用発明の「表示操作装置」は、補正発明の「ユーザサブシステム」に相当するから、「パン／チルト／ズームが前記ユーザサブシステムで実行され」るといえる。
　したがって、補正発明と引用発明とは、「パン／チルト／ズームが前記ユーザサブシステムで実行され」る点で、一致する。
　　
（カ）構成要件Ｇと構成ｄとを対比する。
　引用発明は、「パン、チルト、ズーム操作」をするものであるから、「前記複数のユーザのうちの少なくとも１人によって実施される前記操作は、プライバシー領域の選択、移動オブジェクトの追跡、関心領域の選択、画像修正、画像のパン／チルト／ズーム、又は警告トリガのうちの少なくとも１つを含む」点で、補正発明と一致する。
　　
（キ）構成Ａ、Ｈと構成ａ、ｅとを対比する。
　引用発明は、「複数の表示操作装置により遠隔地から観察するための方法」であり、上記（イ）のとおり、ビデオデータストリームが「実施的に同時に」提供されるから、「複数の利用者により実質的に同時に遠隔監視するための方法」といえる。
　したがって、補正発明と引用発明とは、「複数の利用者により実質的に同時に遠隔監視するための方法」として一致する。
　　
イ　一致点、相違点
　以上より、一致点、相違点は次のとおりである。
　　
（一致点）
　複数の利用者により実質的に同時に遠隔監視するための方法であって、
　１つ又は複数のビデオデータソースから生じる１つ又は複数のビデオデータストリームをサーバにおいて受信するステップと、
　
１つ又は複数のビデオデータストリーム
　前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ、
　前記サーバは
１つ又は複数のビデオデータストリーム
　パン／チルト／ズームが前記ユーザサブシステムで実行され、
　前記複数のユーザのうちの少なくとも１人によって実施される前記操作は、プライバシー領域の選択、移動オブジェクトの追跡、関心領域の選択、画像修正、画像のパン／チルト／ズーム、又は警告トリガのうちの少なくとも１つを含む、
　方法。
　　
（相違点）
　「
１つ又は複数のビデオデータストリーム
１つ又は複数のビデオデータストリーム
１つ又は複数のビデオデータストリーム
　補正発明においては、「前記」１つ又は複数のビデオデータストリーム（すなわち、「１つ又は複数のビデオデータソースから生じる
１つ又は複数のビデオデータストリーム
　引用発明においては、「撮影された映像を一定の角度で分割した」ストリームである点
　　
（下線は、強調のため当審で付与した。）
　　
（６）相違点の判断等 
　引用発明は、「サーバ装置において、全方位カメラで撮影された映像を一定の角度で分割し、ストリームとして複数の表示操作装置に提供する」ものである。
　一方、補正発明は、全方位カメラで撮影された映像を一定の角度で分割するものではなく、全方位カメラで撮影された映像をそのまま配信するものである。
　引用文献１の段落【０００４】には、背景技術として、全方位カメラで撮影された全映像を送信することが記載されている。
　さらに、引用文献１の段落【０００５】には、全映像を送る場合、送信データ量の増大を招くことが記載されている。
　しかしながら、回線の容量が十分に大きい場合には、送信データ量の増大が問題とならないことは普通に想定でき、そのような場合に、全画像を送るようにすることは当業者が容易に着想することである。
　そうすると、引用発明において、全画像を送るようにし、ビデオデータソースから生じるビデオデータストリームをユーザサブシステムに送るようにすることは当業者が容易になし得ることである。
　したがって、引用発明において、「
前記
前記
　　
　そして、補正発明が奏する効果は、その容易想到である構成から当業者が容易に予測し得る範囲内のものであり、同範囲を超える顕著なものでもない。
　　
　したがって、補正発明は、引用文献１に記載された発明に基づいて当業者が容易に発明することができたものであるから、特許法２９条２項の規定により特許出願の際独立して特許を受けることができない。
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２８年３月１７日付けの手続補正は、上記のとおり却下されたので、本願の請求項１〜３４に係る発明は、平成２７年６月９日付け手続補正により補正された明細書、特許請求の範囲及び図面の記載からみて、その特許請求の範囲の請求項１〜３４に記載した事項により特定されるとおりのものであるところ、請求項１に係る発明は、次のとおりのものである（この発明を以下「本願発明」という。）。
　　
（本願発明）
「（Ａ）複数の利用者により実質的に同時に遠隔監視するための方法であって、
（Ｂ）１つ又は複数のビデオデータソースから生じる１つ又は複数のビデオデータストリームをサーバにおいて受信するステップと、
（Ｃ）前記１つ又は複数のビデオデータストリームを前記サーバから１人又は複数の利用者のそれぞれのユーザサブシステムに実質的に同時に提供するステップとを含み、
（Ｄ）前記１つ又は複数のビデオデータストリームが前記ユーザサブシステムに提供された後に、前記１人又は複数の利用者のそれぞれは、前記ユーザサブシステムを介して、前記ビデオデータソースにアクセスすることなく、前記１つ又は複数のビデオデータストリームを閲覧し操作することができ、（Ｇ’）前記複数のユーザのうちの少なくとも１人によって実施される前記操作は、プライバシー領域の選択、移動オブジェクトの追跡、関心領域の選択、画像修正、又は警告トリガのうちの少なくとも１つを含む、
（Ｈ）方法。」
　　
（（Ａ）〜（Ｈ）は、当審で付与した。補正発明と同じ構成要件は同じ記号とし、異なる構成要件の記号には「’」を付与した。以下各構成要件を「構成要件Ａ」等という。）
　　
２　引用発明
　引用文献１は、上記第２の２（４）アの引用文献１と同じであり、引用発明は、上記第２の２（４）イを援用する。
　　
３　対比
　本願発明と引用発明とを対比する。
　　
（１）本願発明と補正発明とは、構成要件Ｇ’以外の構成要件は、構成要件Ａ〜Ｄ、Ｈ同じであるから、上記第２の２（５）ア（ア）〜（ウ）、（キ）を援用する。
　　
（２）構成要件Ｇ’と構成ｄとを対比する。
　引用発明は、「パン、チルト、ズーム操作」をするものであって、「パン、チルト、ズーム操作」によって、「関心領域の選択」がなされることは明らかであるから、「前記複数のユーザのうちの少なくとも１人によって実施される前記操作は、プライバシー領域の選択、移動オブジェクトの追跡、関心領域の選択、画像修正、又は警告トリガのうちの少なくとも１つを含む」点で、本願発明と一致する。
　　
（３）以上より、本願発明と引用発明との一致点、相違点は次のとおりである。
　　
（一致点）
　複数の利用者により実質的に同時に遠隔監視するための方法であって、
　１つ又は複数のビデオデータソースから生じる１つ又は複数のビデオデータストリームをサーバにおいて受信するステップと、
　
１つ又は複数のビデオデータストリーム
　　
（相違点）
　「
１つ又は複数のビデオデータストリーム
１つ又は複数のビデオデータストリーム
　補正発明においては、「前記」１つ又は複数のビデオデータストリーム（すなわち、「１つ又は複数のビデオデータソースから生じる
１つ又は複数のビデオデータストリーム
　引用発明においては、「撮影された映像を一定の角度で分割した」ストリームである点
　　
４　相違点の判断
　上記相違点は、上記第２の２（５）イの相違点から、本願発明にはない構成要件Ｅの部分を削除したものあるので、当該部分を除き、上記第２の２（６）の判断を援用する。
　したがって、本願発明は、引用文献１に記載された発明に基づいて当業者が容易に発明できたものである。
　　
５　むすび 
　以上のとおり、本願の請求項１に係る発明は、引用文献１に記載された発明に基づいて、当業者が容易に発明することができたものであるから、特許法第２９条第２項の規定により特許を受けることができない。
　したがって、請求項２〜３４に係る発明について検討するまでもなく、本願は拒絶されるべきものである。
　　
　よって、結論のとおり審決する。